(57)【特許請求の範囲】
【請求項１】
遊技価値を付与する付与手段と、
予め定められた条件が成立した場合に、遊技者に有利な大当たり状態として、第１大当たり状態と、遊技者により使用される遊技価値の使用数が前記第１大当たり状態よりも多くなり、又は開始から終了までの時間に対応した消化時間が前記第１大当たり状態よりも長くなり、前記付与手段により付与された遊技価値の付与数から前記使用数を差し引いた差価値数が前記第１大当たり状態よりも多くなる第２大当たり状態と、のいずれかを発生させる大当たり発生手段と、を備えたパチンコ遊技機についての稼働データをパチンコ遊技機別に集計管理する遊技機管理装置において、
前記大当たり状態における前記使用数又は前記消化時間を、大当たり消化データとして特定する消化データ特定手段と、
前記大当たり状態における前記付与数又は前記大当たり状態における前記差価値数を、大当たり価値数として特定する価値数特定手段と、
前記大当たり状態が終了した場合に当該大当たり状態における前記大当たり価値数が前記第１大当たり状態に対応した付与範囲に含まれていると特定した後、その大当たり状態の前記大当たり消化データが前記第１大当たり状態に対応している場合には付与正常と判定する一方、その大当たり状態の前記大当たり消化データが前記第１大当たり状態に対応していない場合に付与異常と判定する第１異常判定手段と、
前記大当たり状態が終了した場合に当該大当たり状態における前記大当たり価値数が前記第２大当たり状態に対応した付与範囲に含まれていると判定した後、その大当たり状態の前記大当たり消化データが前記第２大当たり状態に対応している場合には付与正常と判定する一方、その大当たり状態の前記大当たり消化データが前記第１大当たり状態に対応している場合には付与異常と判定する第２異常判定手段と、
前記第１異常判定手段及び前記第２異常判定手段のいずれかが前記付与異常と判定した場合と、前記大当たり価値数が前記第１大当たり状態に対応しておらず、かつ前記第２大当たり状態にも対応していない場合と、に異常報知を実行する異常報知手段と、を備えたことを特徴とする遊技機管理装置。
【請求項２】
前記大当たり状態でない通常状態における前記付与数の値を所定期間ごとに監視し、又は、前記大当たり状態でない通常状態における所定の前記使用数に対する前記付与数の割合の値を所定期間ごとに監視し、その監視した値が予め設定された所定範囲から外れている場合に通常状態異常と判定する通常状態判定手段を備え、
前記第２異常判定手段は、前記大当たり状態が終了した場合に当該大当たり状態における前記大当たり価値数が付与正常及び付与異常のいずれであるかを判定するとともに、その判定結果が付与正常だったとしても、前記大当たり状態が終了してから次の大当たり状態が発生するまでの間に、前記通常状態判定手段が通常状態異常と判定した場合、当該通常状態異常と判定した所定期間における前記付与数のうち所定付与数を、終了した前記大当たり状態における前記付与数に加算して、前記大当たり状態が終了した場合の前記大当たり価値数が付与正常及び付与異常のいずれかであるかの判定を実行することを特徴とする請求項１に記載の遊技機管理装置。
【発明の詳細な説明】
【技術分野】
【０００１】
本発明は、大当たり状態が発生可能な遊技機についての稼動データを遊技機別に集計管理する遊技機管理装置に関する。
【背景技術】
【０００２】
従来、パチンコ遊技機等の遊技機においては、入賞口への遊技価値としての玉の入賞を検知したことに基づいて、遊技価値の付与としての玉の払出が付与手段としての払出装置によって実行される。さらに、遊技者に有利な大当たり状態においては、大入賞口に玉が入賞し易く、多量の玉が遊技者に払い出される。
【０００３】
入賞口に玉が入賞することで玉の払出が実行されるため、電波を発生させることで入賞口に玉が入賞していないにも関わらず入賞口に玉が入賞したものとパチンコ遊技機に誤検知させる不正行為や、磁石を用いて入賞するよう玉を入賞口に誘導する不正行為が後を絶たない。特に、大当たり状態においては多量の玉の払出が実行されるため、大当たり状態中は、不正に玉の払出を実行させる不正行為の対象となり易い。このため、大当たり状態中の玉の払出数を監視する技術も提案されている（例えば、特許文献１参照）。
【先行技術文献】
【特許文献】
【０００４】
【特許文献１】特開平８−１９１９４２号公報
【発明の概要】
【発明が解決しようとする課題】
【０００５】
しかしながら、パチンコ遊技機によっては、払い出す玉の数が異なる複数種類の大当たり状態が設定されている。このようなパチンコ遊技機において、複数種の大当たり状態のうち、払い出す玉の数が少ない大当たり状態において不正行為が行われ多量の玉を払い出したとしても、遊技ホール側では、払い出す玉の数が多い大当たり状態が発生したのか、又は、不正行為が行われたのかを区別できない。したがって、大当たり状態における不正な玉の払出を監視する上で未だ改善の余地がある。
本発明は、上記事情に鑑みてなされたものであり、その目的は、大当たり状態における不正な遊技価値の付与を監視可能な遊技機管理装置を提供することにある。
【課題を解決するための手段】
【０００６】
本発明は、遊技価値を付与する付与手段と、予め定められた条件が成立した場合に、遊技者に有利な大当たり状態として、第１大当たり状態と、遊技者により使用される遊技価値の使用数が前記第１大当たり状態よりも多くなり、又は開始から終了までの時間に対応した消化時間が前記第１大当たり状態よりも長くなり、前記付与手段により付与された遊技価値の付与数から前記使用数を差し引いた差価値数が前記第１大当たり状態よりも多くなる第２大当たり状態と、のいずれかを発生させる大当たり発生手段と、を備えたパチンコ遊技機についての稼働データをパチンコ遊技機別に集計管理する遊技機管理装置において、前記大当たり状態における前記使用数又は前記消化時間を、大当たり消化データとして特定する消化データ特定手段と、前記大当たり状態における前記付与数又は前記大当たり状態における前記差価値数を、大当たり価値数として特定する価値数特定手段と、前記大当たり状態が終了した場合に当該大当たり状態における前記大当たり価値数が前記第１大当たり状態に対応した付与範囲に含まれていると特定した後、その大当たり状態の前記大当たり消化データが前記第１大当たり状態に対応している場合には付与正常と判定する一方、その大当たり状態の前記大当たり消化データが前記第１大当たり状態に対応していない場合に付与異常と判定する第１異常判定手段と、前記大当たり状態が終了した場合に当該大当たり状態における前記大当たり価値数が前記第２大当たり状態に対応した付与範囲に含まれていると判定した後、その大当たり状態の前記大当たり消化データが前記第２大当たり状態に対応している場合には付与正常と判定する一方、その大当たり状態の前記大当たり消化データが前記第１大当たり状態に対応している場合には付与異常と判定する第２異常判定手段と、前記第１異常判定手段及び前記第２異常判定手段のいずれかが前記付与異常と判定した場合と、前記大当たり価値数が前記第１大当たり状態に対応しておらず、かつ前記第２大当たり状態にも対応していない場合と、に異常報知を実行する異常報知手段と、を備えたものである（請求項１）。
【０００７】
請求項１に記載の遊技機管理装置において、
前記大当たり状態でない通常状態における前記付与数の値を所定期間ごとに監視し、又は、前記大当たり状態でない通常状態における所定の前記使用数に対する前記付与数の割合の値を所定期間ごとに監視し、その監視した値が予め設定された所定範囲から外れている場合に通常状態異常と判定する通常状態判定手段を備え、前記第２異常判定手段は、前記大当たり状態が終了した場合に当該大当たり状態における前記大当たり価値数が付与正常及び付与異常のいずれであるかを判定するとともに、その判定結果が付与正常だったとしても、前記大当たり状態が終了してから次の大当たり状態が発生するまでの間に、前記通常状態判定手段が通常状態異常と判定した場合、当該通常状態異常と判定した所定期間における前記付与数のうち所定付与数を、終了した前記大当たり状態における前記付与数に加算して、前記大当たり状態が終了した場合の前記大当たり価値数が付与正常及び付与異常のいずれかであるかの判定を実行するようにしてもよい（請求項２）。
【発明の効果】
【０００８】
請求項１の発明によれば、大当たり価値数と、大当たり消化データを算出することに基づいて、大当たり状態における遊技価値（玉）の付与の異常判定をして、不正行為を監視することができる。例えば、大当たり価値数が第２大当たり状態に対応した付与範囲であるにも関わらず、大当たり消化データが第１大当たり状態に対応している場合は、付与異常と判定して異常報知が実行されるので、遊技者が不正行為によって第１大当たり状態を第２大当たり状態と見せかけて、不正に多量の玉を得ることを監視することができる。
【０００９】
請求項２の発明によれば、大当たり状態でない通常状態におけるベースの異常判定を行うと共に、大当たり価値数と、大当たり消化データを算出することに基づいて大当たり状態における遊技価値（玉）の付与の異常判定をすることで、不正行為を監視することができる。例えば、大当たりの状態において遊技者が玉詰まりを発生させて、大当たり状態が終了してから多量の玉を払い出させようとしても、異常を検知して不正行為を発見できる。また、大当たり状態が終了した場合にも異常判定をすることで、不正行為を発見するタイミングを早いタイミングとすることができる。
【図面の簡単な説明】
【００１０】
【図１】本発明の一実施形態におけるシステムの全体構成を概略的に示す図
【図２】パチンコ遊技機の正面図
【図３】パチンコ遊技機の電気的構成を示すブロック図
【図４】遊技状態を示す状態遷移図
【図５】大当たり種別の出現割合と差玉の期待数との対応関係を示す図
【図６】大当たり履歴の一例を示す図
【図７】（ａ）ＴＹ及びＴＯの目安を示す図、（ｂ）正常と判定するためのＴＹとＴＯの関係を示す図
【図８】遊技機管理装置による大当たり対応処理を示すフローチャート
【図９】遊技機管理装置による通常時処理を示すフローチャート
【発明を実施するための形態】
【００１１】
以下、本発明の一実施形態について図面を参照して説明する。
図１は、本発明による遊技機管理装置を適用した遊技場用システム１の全体構成を示している。遊技場用システム１は、複数のパチンコ遊技機２、各パチンコ遊技機２に対応して設けられている貸出装置３及び呼出ランプ４、図示しない管理室などに設けられている遊技機管理装置５（消化データ特定手段、価値数特定手段、第１異常判定手段、第２異常判定手段、異常報知手段、通常状態判定手段に相当）などから構成されている。
【００１２】
貸出装置３は、硬貨投入口３ａに硬貨が投入された状態、または、固有のＩＤが記録されたプリペイドカードがカード挿入口３ｂに挿入されて払出釦３ｃが押下げられた状態で、特定された有価価値に基づいて遊技価値としてのパチンコ玉（貸玉）を払出口３ｄからパチンコ遊技機２に払い出す（付与する）。また、貸出装置３は、パチンコ玉の払い出しに伴って、売上信号を呼出ランプ４に送信する。貸出装置３の情報表示部３ｅでは、貸出情報や対応するパチンコ遊技機２に関する各種の遊技情報なども表示可能である。呼出ランプ４は、パチンコ遊技機２及び貸出装置３と遊技機管理装置５との間のデータを中継すると共に、各種の情報を表示装置６に表示する。
【００１３】
遊技機管理装置５は、モニタ７及びキーボード８を有していると共に、ＬＡＮ９を介して呼出ランプ４に接続されている。遊技機管理装置５は、図示しないマイクロコンピュータを含む制御装置を備えており、各パチンコ遊技機２から出力される各種の遊技信号に基づいて、各パチンコ遊技機２についての大当たり確率や売上げなどの稼動データを遊技機別に集計及び記憶して管理するものである。
【００１４】
図２は、パチンコ遊技機２の正面図である。パチンコ遊技機２は、遊技者によるハンドル装置１０の操作に応じて発射装置１１からパチンコ玉を遊技領域である盤面１２に発射する。盤面１２に発射されたパチンコ玉が複数設けられている入賞口に入賞すると、入賞した入賞口に対応する数のパチンコ玉が払い出される（遊技者へ付与される）。盤面１２の中央には、液晶表示装置１３が設けられており、発射されたパチンコ玉が液晶表示装置１３の下方に設けられている始動口１４に入賞すると、後述する抽選が行われ、液晶表示装置１３に表示されている図柄（特図）が変動する。
【００１５】
液晶表示装置１３において所定時間の変動後に停止した図柄が大当たり図柄の場合には、遊技者に有利な特別遊技状態に相当する大当たり状態が発生し、大入賞口１５が所定の終了条件が成立するまで開閉する。なお、本実施形態では、液晶表示装置１３には１〜９の数字が３列に表示され、基本的には、その３列に同じ数字が停止表示されたときに大当たり状態が発生する。なお、大入賞口１５の左方には常に入賞可能な入賞口である一般入賞口１６が配置されている。
【００１６】
パチンコ遊技機２の場合、上記した抽選の起因となるいわゆる保留玉の上限は４個であり、図柄変動中に再度始動口１４にパチンコ玉が入賞した場合は上限まで保留し、図柄変動終了後に順次保留した図柄変動を実行する。このとき、液晶表示装置１３下部の特図保留表示部１７に保留玉数を表示する。また、盤面１２の図示右方には、例えば７セグメントＬＥＤなどで構成され、始動口１４への入賞に応じて実行される抽選の結果を示す特図表示部１８が設けられている。
【００１７】
盤面１２の図示左方には、ゲート１９、例えばＬＥＤで構成された普図表示部２０及び普図保留表示部２０ａが設けられている。盤面１２に発射されたパチンコ玉がゲート１９を通過すると、始動口１４に対応して設けられている電チュー２１を開放するか否かの普図抽選が実行され、その抽選結果が普図表示部２０に表示される。この電チュー２１は、開放状態では始動口１４へのパチンコ玉の流入を促す一方、閉鎖状態では始動口１４へのパチンコ玉の流入を阻害する。
【００１８】
また、パチンコ遊技機２は、上記した普図抽選に対する保留玉の上限は２個であり、普図抽選中に再度ゲート１９をパチンコ玉が通過した場合は上限まで保留し、普図抽選の終了後に順次保留した普図抽選を実行する。このとき、普図保留表示部２０ａに普図保留玉数を表示する。また、パチンコ遊技機２には、各種の演出を実行するための装飾ランプ２２及びスピーカ２３、及び、演出ボタン２４が設けられている。
【００１９】
図３は、パチンコ遊技機２の電気的構成を示すブロック図である。パチンコ遊技機２は主制御回路３０（大当たり発生手段に相当）を備えている。この主制御回路３０は、ＣＰＵ、ＲＯＭ、ＲＡＭ、信号を送受信するためのインターフェースからなるＩ／Ｏなどを備えたマイクロコンピュータにより構成され、電源回路３１から電源が供給されている。主制御回路３０は、ゲート通過検出器３２、始動入賞検出器３３、大入賞検出器３４などから入力される信号に基づいて、パチンコ遊技機２全体を制御している。遊技者がハンドル装置１０を操作すると、その操作情報が入力された発射制御回路３５によって発射装置１１が駆動され、盤面１２にパチンコ玉が発射される。
【００２０】
盤面１２に発射されたパチンコ玉は、盤面１２を流下した後、例えばゲート１９を通過する。このとき、ゲート通過検出器３２は、ゲート１９を通過するパチンコ玉を検出し、パチンコ玉がゲート１９を通過する毎に信号を主制御回路３０に出力する。主制御回路３０は、ゲート通過検出器３２から信号を受信すると、乱数発生部３６で発生した乱数の１つを乱数抽出部３７で抽出することにより普図抽選を実行する。この普図抽選において普図当選になると、電チューソレノイド３８が駆動され、電チュー２１が開放する。また、パチンコ玉のゲート１９の通過に応じて、普図表示部２０や普図保留表示部２０ａのＬＥＤを点灯あるいは消灯させる。
【００２１】
普図抽選では、パチンコ遊技機２の遊技状態によって当選確率などが変化する。具体的には、パチンコ遊技機２には後述する通常状態や時短状態などの複数の遊技状態が設けられている。通常状態においては、普図当選となる確率である普図当選確率は１／３０に設定されている。また、時短状態においては、普図当選確率は１／１に設定されている。また、特図当選となる確率である特図当選確率は、通常状態及び時短状態においては、１／１００に設定され、確変状態においては、１／１０に設定されている。さらに、特図当選となった時の確変割合は１００％となっている。
【００２２】
普図抽選に要する時間、すなわち普図表示部２０において変動表示が行われる普図変動時間は、通常状態では３０秒、時短状態では１秒に設定されている。そして、普図抽選において普図当選となった場合には、電チュー２１は、通常状態では０．２秒、時短状態では１．５秒×３回の間開放される。つまり、時短状態では、電チュー２１の開放時間が長く、その回数も増えるため、始動口１４への入賞が通常状態よりも促されることになる。なお、確変状態においては、普図変動時間、普図抽選に当選する確率、及び、電チュー２１の開放態様が時短状態と同様になっている。
【００２３】
また、盤面１２に発射されたパチンコ玉は、盤面１２を流下した後、例えば始動口１４に入賞する。始動入賞検出器３３は、始動口１４に入賞したパチンコ玉を検出し、パチンコ玉が入賞する毎に信号を主制御回路３０に出力する。主制御回路３０は、始動入賞検出器３３から信号を受信すると、乱数発生部３６で発生した乱数の１つを乱数抽出部３７で抽出することにより特図抽選を実行する。なお、本実施形態では特図抽選と上記した普図抽選とで同じ乱数発生部３６及び乱数抽出部３７を共用しているが、それぞれ別の乱数発生部３６及び乱数抽出部３７を設ける構成としてもよい。
【００２４】
主制御回路３０は、特図抽選を実行した後、液晶表示装置１３に表示されている図柄の変動を開始する。この特図抽選には特別遊技状態である５Ｒ大当たり状態（第１大当たり状態に相当）及び１５Ｒ大当たり状態（第２大当たり状態に相当）、またはハズレの何れかの抽選結果が設定されている。主制御回路３０により５Ｒ大当たり状態と１５Ｒ大当たり状態とのいずれかが発生すると、大入賞ソレノイド３９が駆動され、大入賞口１５の開放状態と閉鎖状態との切替制御が実行される。すなわち、主制御回路３０は、大入賞ソレノイド３９を駆動することにより、大入賞口１５を、盤面１２を流下するパチンコ玉が入賞可能な開放状態と開放状態よりもパチンコ玉が入賞し難い閉鎖状態とに切り替える切替制御を実行している。
【００２５】
大入賞口１５は、５Ｒ大当たり状態では５ラウンド（５Ｒ）、１５Ｒ大当たり状態では１５ラウンド（１５Ｒ）の間、開放状態と閉鎖状態とが切り替えられる（１ラウンドにつき１回、開放状態と閉鎖状態が切り替えられる）。１５Ｒ大当たり状態では、５Ｒ大当たり状態よりもラウンド数が多く、大当たり状態が開始してから終了するまでの大入賞口１５が開放されている期間の合計が５Ｒ大当たり状態よりも長く、大当たり状態が開始してから終了するまでに大入賞口１５にパチンコ玉が多く入賞し易い。主制御回路３０は、特図抽選の結果に応じて、特図表示部１８のＬＥＤを点灯あるいは消灯させることにより、特図抽選の結果を表示する。
【００２６】
また、主制御回路３０は、上記したようにパチンコ玉がいずれかの入賞口に入賞すると、副制御回路４０や表示制御回路４１を制御することにより液晶表示装置１３に各種の演出を表示すると共に、払出制御回路４２に対し払出装置４３（付与手段に相当）からのパチンコ玉の払出（付与）を指示する。これにより、遊技者にパチンコ玉が払い出される。
【００２７】
払出装置４３は、予め定められた払出条件が成立した場合にパチンコ玉を払い出すものであり、具体的には、パチンコ玉が始動口１４に入賞した場合には３個のパチンコ玉を払い出し、大入賞口１５に入賞した場合には１０個のパチンコ玉を払い出し、一般入賞口１６に入賞した場合には１０個のパチンコ玉を払い出す。本実施形態では、払出条件が成立する成立ペースよりも、払出条件の成立に基づいて払出装置４３がパチンコ玉を払い出す払出ペースの方が早くなるように設定されている。
【００２８】
なお、パチンコ遊技機２の払出装置４３から払い出されたパチンコ玉は上皿４５（図２参照）に流れるが、上皿４５のパチンコ玉が一杯になると、主制御回路３０は、上皿４５が一杯になって玉詰まりが発生したことを検知し、払出処理を中断する。従業員が適切な処置をすることなどにより上皿４５の玉詰まりが解消されると、主制御回路３０は、払出処理を再開する。すなわち、払出条件の成立に基づいて行われる大当たり状態におけるパチンコ玉の払出が、大当たり状態の終了後に実行されることがある。
【００２９】
ここで、パチンコ遊技機２に設けられている遊技状態について説明する。パチンコ遊技機２には、図４に示すように、通常状態、大当たり状態、確変状態、時短状態の４つの遊技状態が設けられている。これらの遊技状態は、予め定められた条件に従って遷移する。具体的には、パチンコ遊技機２は、例えば、通常状態において大当たり当選した場合には、大当たり状態に遷移する。この大当たり状態には、５Ｒ大当たり状態と１５Ｒ大当たり状態とがある。
【００３０】
１５Ｒ大当たり状態は、遊技者により使用されるパチンコ玉の使用数、すなわちアウト玉数が５Ｒ大当たり状態よりも多くなるものであり、また、大当たり状態の開始から終了までの時間に対応した消化時間が５Ｒ大当たり状態よりも長くなるものである。また、１５Ｒ大当たり状態は、払出装置４３から払い出されたパチンコ玉の払出数（付与数に相当）、すなわちセーフ玉数から前記使用数を差し引いた差玉数（差価値数に相当）が５Ｒ大当たり状態よりも多くなるものである。
【００３１】
通常状態において大当たり当選した場合には、大当たり状態（５Ｒ大当たり状態または１５Ｒ大当たり状態）になる。５Ｒ大当たり状態では、５Ｒが消化されると、確変状態に遷移する一方、再び大当たり当選となった場合には大当たり状態に遷移する。また、１５Ｒ大当たり状態では、１５Ｒが消化されると、確変状態に遷移する一方、再び大当たり当選となった場合には大当たり状態に遷移する。確変状態において、５回の図柄変動が終了すると、時短状態に遷移する。時短状態で、４５回の図柄変動が終了すると、通常状態に遷移する。
【００３２】
図５は、パチンコ遊技機２に設定されている大当たりの種類を示している。パチンコ遊技機２には、５Ｒ大当たり（第１大当たり）と１５Ｒ大当たり（第２大当たり）の２種類が設定されている。５Ｒ大当たり状態においては、ラウンド数が５Ｒで、出現割合は９０％である。また、大当たり状態中のアウト玉数とセーフ玉数の差である差玉数（ＴＹ）の期待数が４００個である。また、１５Ｒ大当たり状態においては、ラウンド数が１５Ｒで、出現割合は１０％であり、差玉数（ＴＹ）の期待数が１２００個である。すなわち、大当たりに当選すると、９０％の割合で５Ｒ大当たり状態が発生し、残り１０％の割合で１５Ｒ大当たり状態が発生する。
【００３３】
次に、大当たり履歴データの各項目について図６を参照して説明する。
「大当たりＮｏ．」は、各パチンコ遊技機２における大当たり番号を示している。ここでは、開店から最初に発生した大当たりを「１」とし、次に発生した大当たりを順に、「２」、「３」、・・・と示す。「発生時刻」は、大当たり状態が発生した時刻を示す。「スタート回数」は、前回の大当たり状態の終了後（１回目の大当たり状態に関しては開店）から今回の大当たり状態の開始までのスタート回数を示す。
【００３４】
「ＢＯ」は、前回の大当たり状態の終了後（１回目の大当たり状態に関しては開店）から今回の大当たり状態の開始までのパチンコ玉の使用数であるアウト玉数を示す。「Ｂサ」は、前回の大当たり状態終了後（１回目の大当たり状態に関しては開店）から今回の大当たり状態の開始までのアウト玉数とセーフ玉数との差である通常差玉数を示す。「ＴＹ」は、大当たり状態中のセーフ玉数とアウト玉数との差である差玉数（差価値数に相当）を示す。「ＴＯ」は、大当たり状態中のアウト玉数を示す。
【００３５】
また、「異常」の項目には、後述する処理によりＴＹ異常（付与異常に相当）と判定された場合に「○」を表示する。「ベース異常」の項目には、ベースが後述する処理により異常と判定された場合の余分なセーフの値を表示する。遊技機管理装置５は、上記した大当たり履歴データを各パチンコ遊技機２について区別して集計管理する。
【００３６】
図７（ａ）は、各大当たり状態におけるＴＹ及びＴＯの値の目安を示すものである。５Ｒ大当たり状態では、ＴＹの値が４００、ＴＯの値が１２０となっている。すなわち、セーフ玉数が５２０個、アウト玉数が１２０個である。また、１５Ｒ大当たり状態では、ＴＹの値が１４００、ＴＯの値が３６０となっている。すなわち、セーフ玉数が１７６０個、アウト玉数が３６０個である。
【００３７】
図７（ｂ）は、大当たり状態において、パチンコ玉の払出（付与）が正常であると判定するためのＴＹ及びＴＯの値の関係を示すものである。ＴＹの値が３７０〜４３０の範囲（付与範囲に相当）内である（５Ｒ大当たり状態に対応している）場合は、ＴＯの値が９０〜１５０の範囲内にあれば正常（付与正常）である。ＴＹの値が１３５０〜１４５０の範囲（付与範囲）内にある（１５Ｒ大当たり状態に対応している）場合は、ＴＯの値が３００〜４００の範囲内にあれば正常である。
【００３８】
主制御回路３０は、遊技者による遊技の進行に応じて、盤面１２に発射されたパチンコ玉の数であるアウトを特定可能なアウト信号、遊技者に付与したパチンコ玉の数であるセーフを特定可能なセーフ信号、始動口１４への入賞に伴って発生する図柄の変動表示の開始（スタート）を特定可能なスタート信号、大当たりを特定可能な大当たり信号、確変状態を特定可能な確変信号、ラウンド中であることを特定可能なラウンド信号などの遊技信号を信号出力部４４に出力する。呼出ランプ４は、信号出力部４４から出力される遊技信号や遊技機管理装置５等から取得するデータに基づいて各種の遊技データの表示を行っている。
【００３９】
遊技機管理装置５は、図８に示す大当たり対応処理、及び図９に示す通常時処理を実行している。
遊技機管理装置５は、図８に示す大当たり対応処理において、大当たり信号がＯＮであることの検知の開始（Ｓ１）、大当たり信号がＯＮであることの検知の終了（Ｓ５）、及び、遅延タイマ時間の終了（Ｓ９）それぞれのタイミングを判定しており、これらのタイミング以外のときは（Ｓ９：ＮＯ）、リターンするものである。遊技者により遊技が行われて特図抽選において大当たり（５Ｒ大当たりまたは１５Ｒ大当たり）当選になると、遊技機管理装置５は、信号出力部４４からの大当たり信号がＯＮであることの検知を開始し（Ｓ１：ＹＥＳ）、図６に示す大当たり履歴データに新規レコードを追加し（Ｓ２）、「発生時間」、「スタート回数」、「ＢＯ」、「Ｂサ」を記録し（Ｓ３）、ＴＹ（大当たり価値数に相当）及びＴＯ（大当たり消化データに相当）の算出処理を開始する（Ｓ４）。
【００４０】
遊技機管理装置５は、大当たり信号がＯＮであることの検知を終了したときは（Ｓ５：ＹＥＳ）、遅延タイマを起動させ（Ｓ６）、大当たり状態の開始から終了までのアウト玉数であるＴＯの算出処理を終了し（Ｓ７）、大当たり履歴データに「ＴＯ」を記録する（Ｓ８）。
また、遅延タイマ時間が終了したときは（Ｓ９：ＹＥＳ）、ＴＹの算出処理を終了し（Ｓ１０）、大当たり履歴データに「ＴＹ」を記録する（Ｓ１１）。ここで、ＴＹ（差玉数）は、大当たり状態の開始から遅延タイマ時間の終了までのセーフ玉数から、大当たり状態の開始から終了までのアウト玉数を差し引いた玉数である。
【００４１】
なお、遅延タイマ時間の経過中に、始動口１４等にパチンコ玉が入賞して遊技者へのパチンコ玉の払出が発生することも想定できる。このため、大当たり状態が終了してから遅延タイマ時間が終了するまでの期間において発生したパチンコ玉の入賞に基づく払出分を除外して大当たり状態におけるセーフを算出してＴＹを求めるようにしてもよい。この場合、遅延タイマ時間や、遅延タイマ時間中のアウトに対して発生するセーフの期待数を予め設定しておき、遅延タイマ時間が終了した場合にその期待数を除外して大当たり状態におけるセーフを算出するようにするとよい。
【００４２】
続いて、ステップＳ１１において記録したＴＹの値が５Ｒ大当たり状態に対応している（５Ｒ大当たり状態に対応した付与範囲に含まれている）かを判定し（Ｓ１２）、当該ＴＹの値が５Ｒ大当たり状態に対応している場合（Ｓ１２：ＹＥＳ）、ステップＳ８において記録したＴＯの値が５Ｒ大当たり状態に対応しているかを判定し（Ｓ１３）、当該ＴＯの値が５Ｒ大当たり状態に対応している場合は（Ｓ１３：ＹＥＳ）、払出（付与）が正常であるとしてリターンし、当該ＴＯの値が５Ｒ大当たり状態に対応していない場合は（Ｓ１３：ＮＯ）、パチンコ玉の払出が異常であるとして、ＴＹの異常報知処理を実行する（Ｓ１４）。
【００４３】
すなわち、図７（ａ），（ｂ）に示すように、遊技機管理装置５は、大当たり状態におけるＴＹ（差玉数）の値が５Ｒ大当たり状態の範囲内（３７０〜４３０個）に該当している場合において、ＴＯ（アウト玉数）の値も５Ｒ大当たり状態の範囲内（９０〜１５０個）にあれば付与正常であり、ＴＯの値が５Ｒ大当たり状態の範囲内になければ付与異常であると判定して、不正行為を監視する。
【００４４】
なお、不正行為には以下のようなものがある。電磁波を発生させることで始動口１４や一般入賞口１６にパチンコ玉が入賞していないにも関わらず始動口１４や一般入賞口１６にパチンコ玉が入賞したものとパチンコ遊技機に誤検知させる不正行為や、磁石を用いて入賞するようパチンコ玉を始動口１４や一般入賞口１６に誘導する不正行為がある。また、通常のパチンコ玉よりも大きなサイズのパチンコ玉を磁石などで始動口１４や一般入賞口１６に入れてセンサ部（図示せず）を詰まらせ、その状態で、センサ部に電磁波を発射すると、センサが誤作動を起こしてパチンコ玉が払い出される。このようにして多量のパチンコ玉を払い出す不正行為がある。
【００４５】
また、遊技機管理装置５は、ＴＹ異常報知処理において、モニタ７に異常である旨を表示してどの遊技機においてＴＹが異常な値となったかを知らせると共に、従業員が携帯するインカムなどを通じて音声報知をする。なお、異常報知が実行されているときは、キーボード８の操作により異常表示の解除ができると共に、従業員のリモコン操作によって音声による異常報知を終了することができるようになっている。これら異常報知を実行する方法及び異常報知の解除方法は、適宜変更してよい。
【００４６】
続いて、遊技機管理装置５は、記録したＴＹの値が５Ｒ大当たり状態に対応していない場合（Ｓ１２：ＮＯ）、当該ＴＹの値が１５Ｒ大当たり状態に対応している（１５Ｒ大当たり状態に対応した付与範囲に含まれている）かを判定し（Ｓ１５）、当該ＴＹの値が１５Ｒ大当たり状態に対応し（Ｓ１５：ＹＥＳ）、記録したＴＯの値が１５Ｒ大当たり状態に対応していないとき（Ｓ１６：ＮＯ）、及び、当該ＴＹの値が１５Ｒ大当たり状態にも対応していないときは（Ｓ１５：ＮＯ）、付与異常であると判定してＴＹ異常報知処理を実行し（Ｓ１７）、上記と同様の異常報知を実行する。なお、記録したＴＯの値が１５Ｒ大当たり状態に対応していれば（Ｓ１６：ＹＥＳ）、付与正常であると判定してリターンする。
【００４７】
すなわち、図７（ａ），（ｂ）に示すように、遊技機管理装置５は、ＴＹの値が１５Ｒ大当たり状態の範囲（１３５０〜１４５０個）内に該当している場合において、ＴＯの値も１５Ｒ大当たり状態の範囲（３００〜４００個）内にあれば付与正常であり、ＴＯの値が１５Ｒ大当たり状態の範囲内になければ付与異常である判定して、不正行為を監視している。また、ＴＹの値が５Ｒ大当たり状態にも１５Ｒ大当たり状態にも該当しないときも、付与異常であると判定して、異常を報知する。
【００４８】
このように、本実施形態では、遊技機管理装置５は、大当たり状態の開始から大当たり状態の終了までのＴＯと、大当たり状態が開始してから遅延タイマ時間が終了するまでのＴＹとを算出し、これらＴＹとＴＯの値が正常な範囲内にあるかを判定することによって、付与異常の検知を行い、不正なパチンコ玉の払出を監視している。
【００４９】
図６に示す大当たり履歴の例では、大当たりＮｏ．５において、「ＴＹ」が「１４００」、「ＴＯ」が「１１０」と表示されている。ＴＹの値が１４００である場合は、図７（ａ）に示すように、１５Ｒ大当たり状態に対応している（Ｓ１５：ＹＥＳ）。このとき、ＴＯの値は、１１０であるので、５Ｒ大当たり状態に対応しており（図７（ｂ）参照）、１５Ｒ大当たり状態に対応していない（Ｓ１６:ＮＯ）。よって、ＴＹ異常が報知され（Ｓ１７）、「異常」の項目に「○」が表示されている。なお、大当たりＮｏ．６及びＮｏ．７も同様のＴＹ異常となっている。
【００５０】
上述のようにして大当たり対応処理を実行した遊技機管理装置５は、大当たり状態が終了すると、通常時処理を実行する。この通常時処理は、大当たり状態でない通常状態（大当たり状態が終了してから次の大当たり状態が発生するまでの間）において、所定数のアウトが発生するごと（所定期間ごとに相当）に行われる処理である。
【００５１】
遊技機管理装置５は、図９に示す通常時処理において、設定アウト数（例えば５００個）が発生したか（Ｔ１）、ベースの値が正常かを判定している（Ｔ２）。遊技機管理装置５は、設定アウト数が発生し（Ｔ１：ＹＥＳ）、ベースの値（所定のパチンコ玉の使用数に対する払出数の割合）が正常でない（所定範囲から外れている）と判定すると（Ｔ２：ＮＯ）、大当たり履歴データに新規レコードを追加する（Ｔ３）。なお、設定アウト数が発生していないとき（Ｔ１：ＮＯ）、及び、ベースの値が正常である場合は（Ｔ２：ＹＥＳ）、リターンする。
【００５２】
このようにして、遊技機管理装置５は、設定アウト数ごとにベース異常を監視しており、本実施形態では、ベースの値が正常であるためのセーフは、確変状態及び時短状態においては６００個以下であり、通常状態においては２００個以下であるとする。すなわち、正常なベースの値の範囲は、確変状態及び時短状態においては１２０％以下、通常状態においては４０％以下となっている。
【００５３】
続いて、遊技機管理装置５は、大当たり状態に対応した余分なセーフを算出し（Ｔ４）、余分なセーフを記録し（Ｔ５）、余分なセーフの合計を前回の大当たり状態におけるＴＹに加算する（Ｔ６）。本実施形態では、時短状態では５００個以上、通常状態では１００個以上を余分なセーフであるとする。なお、複数回のベース異常が発生している場合は、それぞれの余分なセーフを前回の大当たり状態におけるＴＹに加算する。
【００５４】
ステップＴ６における加算結果のＴＹが５Ｒ大当たり状態に対応している場合（Ｔ７：ＹＥＳ）、ステップＳ８において記録したＴＯ（前回の大当たり状態におけるＴＯ）の値が５Ｒ大当たり状態に対応していれば（Ｔ８：ＹＥＳ）、付与正常であると判定してリターンし、当該ＴＯの値が５Ｒ大当たり状態に対応していないときは（Ｔ８：ＮＯ）、通常状態異常であると判定して、ＴＹ異常報知処理を実行し（Ｔ９）、上記と同様の異常報知を実行する。
【００５５】
ステップＴ６における加算結果のＴＹの値が５Ｒ大当たり状態に対応していない場合（Ｔ７：ＮＯ）、当該ＴＹの値が１５Ｒ大当たり状態に対応し（Ｔ１０：ＹＥＳ）、記録したＴＯが１５Ｒ大当たり状態に対応していないとき（Ｔ１１：ＮＯ）、及び、当該ＴＹの値が１５Ｒ大当たり状態にも対応していないときは（Ｔ１０：ＮＯ）、通常状態異常であると判定して、ＴＹ異常報知処理を実行し（Ｔ１２）、上記と同様の異常報知を行う。なお、記録したＴＯが１５Ｒ大当たり状態に対応していれば（Ｔ１１：ＹＥＳ）、付与正常であると判定してリターンする。
【００５６】
図６に示す大当たり履歴の例では、時刻１３：３８において、ベース異常が検知され、余分なセーフの値が１１０となっている。このとき、時短状態であれば、上記したようにセーフが５００個以上を余分なセーフとするので、セーフは６１０個となっていることを示す。そして、この余分なセーフを前回の大当たり状態（大当たりＮｏ．９）のＴＹに加算すると、ＴＹは、４００＋１１０＝５１０個となる。したがって、「ＴＹ」は４００と表示されているが、余分なセーフを加算することで、正常な範囲（３７０〜４３０）を超える値となり、ＴＹ異常に「○」が表示されている。なお、アウト信号やセーフ信号は１０個単位で出力されるため、大当たり履歴のうち玉数を示すものについては、例えば「１１０」と表示されている場合、１１０〜１１９個の間の値を示している。
【００５７】
以上の通常時処理により、遊技機管理装置５は、大当たり状態でない通常状態において、設定アウト数ごとにベースの異常判定を行い、ベースの値が異常である場合、ステップＴ４〜Ｔ６の処理により、大当たり状態が終了した後に発生した余分なセーフを大当たり状態に基づくセーフであったとして、前回の大当たり状態のセーフに加算する。そして、余分なセーフを加算したＴＹを算出し、大当たり状態においてＴＹの異常があったか否かを大当たり状態の終了後に判定している。このようにして、遊技機管理装置５は、パチンコ玉の不正な払出（付与）を監視している。
なお、本実施形態では、通常時処理は、所定数のアウトが発生するごとに行われるものとしたが、所定数のセーフが発生するごとに行ってもよい。また、所定の時間が経過するごとに行ってもよい。
【００５８】
このような本実施形態の遊技機管理装置５によれば、次のような効果を奏することができる。
遊技機管理装置５は、大当たり状態におけるＴＹ（大当たり価値数）及びＴＯ（大当たり消化データ）を算出することに基づいて、ＴＹの異常判定を行うことで、パチンコ玉（遊技価値）の付与（払出）異常を検知し、不正なパチンコ玉の払出を監視することができる。
例えば、ＴＹ（差玉数）の値が１５Ｒ大当たり状態（第２大当たり状態）に対応した付与範囲内にあるにも関わらず、ＴＯ（アウト玉数）の値が５Ｒ大当たり状態（第１大当たり状態）に対応している場合は、付与異常と判定して異常報知が実行される。これにより、５Ｒ大当たり状態において遊技者が不正行為によって、パチンコ玉の払出数（付与数）が少ない５Ｒ大当たり状態をパチンコ玉の払出数が多い１５Ｒ大当たり状態と見せかけて、不正に多量のパチンコ玉の払出を行おうとする不正行為を監視することができる。
【００５９】
また、大当たり状態の終了時、及び、大当たり状態が終了してから所定時間（遅延タイマ時間）経過後においても、ＴＹの異常判定を行うようにしたので、大当たり状態の終了後に早いタイミングで不正行為を発見することができると共に、大当たり状態の終了から所定時間経過後の不正行為も発見することができる。
【００６０】
さらに、大当たり状態でない通常状態において、ベースの異常を監視すると共に、大当たり状態におけるＴＹの異常判定を行うようにしたので、通常状態においても不正行為によるパチンコ玉の払出を監視することができる。例えば、大当たり状態において遊技者が玉詰まりを発生させて、大当たり状態が終了してから不正に多量のパチンコ玉を払い出させようとしても、異常を検知して不正行為を発見することができる。
【００６１】
また、付与異常を検知した場合は、モニタ７にどのパチンコ遊技機２において異常が検知されたかを表示すると共に、従業員に音声報知するようにしたので、不正行為に対して従業員が適切且つ速やかに対処することができる。
【００６２】
（その他の実施形態）
本発明は、上記実施形態に限定されることなく、次のように変形または拡張できる。
大当たり状態のラウンド数を任意に変更してもよい。例えば、４Ｒ大当たり状態と８Ｒ大当たり状態とが設定されているようにしてもよい。また、設定されている大当たり状態を３種類以上としてもよい。さらには、複数の大当たり状態として、ラウンド数は同じであるが、各ラウンドに大入賞口１５が開放する時間が異なる大当たり状態であってもよい。
【００６３】
本実施形態では、遊技機管理装置５は、大当たり対応処理において、大当たり状態が終了した場合に、ＴＹとＴＯを比較する構成としたが、それに加え、大当たり状態中にＴＹとＴＯを比較する構成としてもよい。大当たり状態中にも、ＴＹとＴＯを比較することで、不正行為が行われていることを、一層早いタイミングで特定できる。例えば、大当たり状態中における出玉率を用いて、不正行為が行われているか否かを、随時判定するようにしてもよい。
また、遊技機管理装置５は、ＴＹの値を特定してからＴＯの値がＴＹの値に対応した正常な範囲内か否かを判定するようにしたが、先にＴＯの値が正常な範囲内かを判定し、その後にＴＯの値に対応したＴＹの値が正常な範囲内か否かを判定するようにしてもよい。
【００６４】
遊技機管理装置５は、通常時処理においてベースの異常を監視するようにしたが、セーフの異常を監視し、セーフ異常が発生した場合は、余分なセーフを前回の大当たり状態のＴＹ（大当たり状態中のセーフ）に加算するようにしてもよい。ここで、セーフ異常とは、アウトがない状態で、所定時間が経過するまでに所定数以上のセーフが発生する場合をいう。
また、遊技機管理装置５は、通常時処理において５００個のアウトごとにベースの異常を判定するようにしたが、ベースの異常を判定するタイミングは適宜変更してよく、例えば、２００個のアウトごとにベースの異常を判定するようにしてもよい。
【００６５】
本実施形態では、時短状態において５００個以上、通常状態において１００個以上を余分なセーフであるとしたが、これに限らず、例えば、時短状態において６００個以上、通常状態において２００個以上を余分なセーフであるとしてもよい。
また、遊技機管理装置５は、所定回数ベースの正常を検知したら、その後にベースの異常が発生したとしても、前回の大当たり状態におけるＴＹ（大当たり状態中のセーフ）に余分なセーフを加算しなくともよい。すなわち、大当たり状態の終了後、所定時間にわたって正常に遊技が進行している場合、前回の大当たり状態では不正行為が行われていないと判定してもよい。
【００６６】
本実施形態では、主制御回路３０により玉詰まりが検知されるが、遊技機管理装置５は、玉詰まりが発生していない場合（パチンコ玉の払出の遅延が発生していない場合）にベースの正常を検知したら、その後にベースの異常が発生したとしても、前回の大当たり状態のＴＹに余分なセーフを加算しないものとしてもよい。
【００６７】
遊技機管理装置５は、ＴＹ異常が発生した頻度に応じて、異常を報知するようにしてもよい。例えば、所定頻度のＴＹ異常が発生した場合には、不正行為が行われていると判定してもよい。このような構成によれば、ＴＹ異常が所定頻度となった場合に異常報知を実行することで、付与異常と判定した場合にすぐさま異常報知を実行する構成に比べ、不正行為が行われていない場合に異常報知が実行されてしまうことを抑制できる。
そして、ＴＯの値が５Ｒ大当たり状態に対応しており、ＴＹの値が１５Ｒ大当たり状態に対応している場合には、不正行為が行われている可能性が高いので、ＴＹ異常が所定頻度に達しなくとも異常報知を実行するようにしてもよい。これにより、不正行為が行われている可能性が高い場合には、早いタイミングで異常報知を実行できる。
【００６８】
また、ＴＹの異常判定ではなく、大当たり状態中のセーフ（払出数）の値で異常判定するようにしてもよい。この場合、各大当たり状態に対応したセーフの値を設定しておけばよい。例えば、４５０〜５５０個と、１４５０〜１７００個を正常なセーフの値の範囲とする。
【００６９】
また、本実施形態では、大当たり消化データをＴＯであるとしたが、大当たり消化データを大当たり状態の消化に要した消化時間であるとして異常判定を行ってもよい。この場合、各大当たり状態に対応した消化時間を予め設定しておけばよい。例えば、５５〜９０秒と、１８０〜２４０秒を正常な消化時間の長さとする。
さらに、本実施形態では、遊技機管理装置５によりＴＯ及びＴＹの管理を行うものとしたが、呼出ランプ４や中継装置によってＴＯ及びＴＹの管理を行ってもよい。
【００７０】
本発明は、大当たり状態が終了した後、１００％確変状態が設定されるパチンコ遊技機とは異なるものに適用してもよい。例えば、大当たり状態が終了した後、所定の確率で確変状態が設定されるパチンコ遊技機や、いわゆる２種のパチンコ遊技機に適用してもよい。
また、本発明は、パチンコ遊技機を備えた遊技場用システムに適用したが、スロットマシンを備えた遊技場用システムに適用してもよく、本発明を適用すれば、いわゆるＡＲＴなどが発生するスロットマシンにおいて、ＡＲＴにより不正にメダルを払い出させる不正行為を監視することが可能となる。スロットマシンにおいては、例えば所定の図柄の組合せが停止することで、特別遊技状態としてのボーナスゲームへの移行やメダルの払出が発生することとなる。
【００７１】
さらに、上記した実施形態では、玉を払い出すことで直接遊技者に遊技価値を付与するものとしたが、クレジットや得点を遊技者に付与し、そのクレジットや得点を使用することで、玉を発射するなどの遊技が進行する遊技機に本発明を適用してもよい。つまり、遊技価値の付与には、遊技価値を直接遊技者に払い出すものが含まれるだけでなく、クレジットなどのようにデータとして間接的に遊技者に付与するものが含まれる。具体例として、封入式のパチンコ遊技機や、完全クレジット式のスロットマシンに本願発明を適用することが可能である。
上記した実施形態における数値は一例であり、適宜の数値を採用すればよい。
【符号の説明】
【００７２】
図面中、２はパチンコ遊技機、５は遊技機管理装置（消化データ特定手段、価値数特定手段、第１異常判定手段、第２異常判定手段、異常報知手段、通常状態判定手段）、３０は主制御回路（大当たり発生手段）、４３は払出装置（付与手段）である。
【図１】
0005766962.tif 000002
【図２】
0005766962.tif 000003
【図３】
0005766962.tif 000004
【図４】
0005766962.tif 000005
【図５】
0005766962.tif 000006
【図６】
0005766962.tif 000007
【図７】
0005766962.tif 000008
【図８】
0005766962.tif 000009
【図９】
0005766962.tif 000010